(57)【要約】【課題】  複数の発光部を目標とする発光量で発光できるようにする。【解決手段】  第１の光源と、第２の光源と、第１の受光部と、前記第１の光源の発光量と前記第２の光源の発光量とを設定する設定手段と、前記第１の受光部の出力に応じて前記第１の光源の発光制御を行う制御手段と、を有し、前記制御手段は、前記第１の光源が発光しているときに、前記前記第１の受光部で受光した光量の積分値に対応する検出値が前記第１の光源の発光量に対応した制御値に達すると前記第１の光源の発光を停止させ、前記制御手段は、前記第１の光源を発光期間と前記第２の発光期間とが重複する場合、前記設定手段に設定された第１の光源の発光量と前記設定手段に設定された第２の発光量とに基づいて、前記設定された第１の発光量、前記積分値、前記制御値の少なくとも１つを補正する。【選択図】  図３
2015146006.tif 000002
【特許請求の範囲】
【請求項１】
第１の光源と、
第２の光源と、
第１の受光部と、
前記第１の光源の発光量と前記第２の光源の発光量とを設定する設定手段と、
前記第１の受光部の出力に応じて前記第１の光源の発光制御を行う制御手段と、を有し、
前記制御手段は、前記第１の光源が発光しているときに、前記第１の受光部で受光した光量の積分値に対応する検出値が前記第１の光源の発光量に対応した制御値に達すると前記第１の光源の発光を停止させ、
前記制御手段は、前記第１の光源を発光期間と前記第２の発光期間とが重複する場合、前記設定手段に設定された第１の光源の発光量と前記設定手段に設定された第２の発光量とに基づいて、前記設定された第１の発光量、前記検出値、前記制御値の少なくとも１つを補正することを特徴とする照明装置。
【請求項２】
前記第１の光源の発光量と前記第２の発光量の組み合わせに対応した補正テーブルを記憶する記憶手段を有し、
前記制御手段は、前記記憶手段に記憶された補正テーブルに基づいて、前記制御値を変更することを特徴とする請求項１に記載の照明装置。
【請求項３】
前記制御手段は、前記第１の光源を発光させずに前記第２の光源を発光させて得られる前記第１の受光部の出力に対応する積分値と前記設定された第１の光源の発光量と前記設定された第２の光源の発光量とに基づいて、前記設定された第１の発光量、前記検出値、前記制御値の少なくとも１つを補正することを特徴とする請求項１に記載の照明装置。
【請求項４】
前記制御手段は、前記設定された第１の光源の発光量と前記設定された第２の発光量とが大きいほど、前記制御値を大きくする補正を行うことを特徴とする請求項１ないし３のいずれか１項に記載の照明装置。
【請求項５】
前記制御手段は、前記設定された第１の光源の発光量と前記設定された第２の発光量とが大きいほど、前記設定された制御値を大きくする補正を行うことを特徴とする請求項１ないし３のいずれか１項に記載の照明装置。
【請求項６】
前記制御手段は、前記設定された第１の光源の発光量と前記設定された第２の発光量とが大きいほど、前記設定された制御値を小さくする補正を行うことを特徴とする請求項１ないし３のいずれか１項に記載の照明装置。
【請求項７】
前記照明装置は、レンズ鏡筒の外周を囲むように取り付け可能であることを特徴とする請求項乃至１乃至６のいずれか１項に記載の照明装置。
【請求項８】
照明装置と撮像装置を含むカメラシステムであって、
第１の光源と、
第２の光源と、
第１の受光部と、
前記第１の光源の発光量と前記第２の光源の発光量とを設定する設定手段と、
前記第１の受光部の出力に応じて前記第１の光源の発光制御を行う制御手段と、を有し、
前記制御手段は、前記第１の光源が発光しているときに、前記第１の受光部で受光した光量の積分値に対応する検出値が前記第１の光源の発光量に対応した制御値に達すると前記第１の光源の発光を停止させ、
前記制御手段は、前記第１の光源を発光期間と前記第２の発光期間とが重複する場合、前記設定手段に設定された第１の光源の発光量と前記設定手段に設定された第２の発光量とに基づいて、前記設定された第１の発光量、前記検出値、前記制御値の少なくとも１つを補正することを特徴とするカメラシステム。
【請求項９】
被写体距離を測定する測定手段を有し、
前記制御手段は、前記測定手段の測定結果と前記設定手段に設定された第１の光源の発光量と前記設定手段に設定された第２の発光量とに基づいて、前記設定された第１の発光量、前記検出値、前記制御値の少なくとも１つを補正することを特徴とする請求項８に記載のカメラシステム。
【請求項１０】
前記第１の光源と前記第２の光源の相対位置を検出する位置検出手段を有し、
前記制御手段は、前記位置検出手段の検出結果と前記設定手段に設定された第１の光源の発光量と前記設定手段に設定された第２の発光量とに基づいて、前記設定された第１の発光量、前記検出値、前記制御値の少なくとも１つを補正することを特徴とする請求項８または９に記載のカメラシステム。
【請求項１１】
前記第１の光源と前記第２の光源の相対角度を検出する角度検出手段を有し、
前記制御手段は、前記角度検出手段の検出結果と前記設定手段に設定された第１の光源の発光量と前記設定手段に設定された第２の発光量とに基づいて、前記設定された第１の発光量、前記検出値、前記制御値の少なくとも１つを補正することを特徴とする請求項８ないし１０のいずれか１項に記載のカメラシステム。
【請求項１２】
第１の光源と、第２の光源と、第１の受光部と、を有する照明装置の発光制御方法であって、
前記第１の光源が発光しているときに、前記第１の受光部で受光した光量の積分値に対応する検出値が前記第１の光源の発光量に対応した制御値に達すると前記第１の光源の発光を停止させるステップと、
前記第１の光源を発光期間と前記第２の発光期間とが重複する場合、設定された第１の光源の発光量と第２の発光量とに基づいて、前記設定された第１の発光量、前記検出値、前記制御値の少なくとも１つを補正するステップと、を有することを特徴とする発光制御方法。
【発明の詳細な説明】
【技術分野】
【０００１】
本発明は、複数の発光部を有する照明装置、カメラシステム及び発光制御方法に関するものである。
【背景技術】
【０００２】
従来、複数の発光部を備えそれぞれの発光部を個別に制御し発光期間を重複させて発光させることが可能な照明装置がある。特許文献１では、複数のキセノン管と、それぞれのキセノン管の発光量をモニタする複数のフォトダイオードとを備え、複数のフォトダイオードでモニタした発光量に基づいてそれぞれの制御対象であるキセノン管の発光制御を行う閃光発光装置が記載されている。
【先行技術文献】
【特許文献】
【０００３】
【特許文献１】特開２００１−２１５５７４号公報
【発明の概要】
【発明が解決しようとする課題】
【０００４】
しかしながら、複数発光部の発光期間を重複させて発光させると、ある１つの発光部の発光量を制御するための受光部に他の発光部からの光が入射してしまう場合がある。その場合、制御対象の発光部の発光量に対応する光量以上の光を受光部で受光してしまい、他の発光部から入射する光が多いと、実際の制御対象の発光部の発光量が目標とする発光量と大きく離れていても発光を停止させてしまうことが考えられる。
【０００５】
そこで、本発明の目的は、複数の発光部を目標とする発光量で発光できるようにすることである。
【課題を解決するための手段】
【０００６】
上記目的を達成するために、本発明にかかる照明装置は、第１の光源と、第２の光源と、第１の受光部と、前記第１の光源の発光量と前記第２の光源の発光量とを設定する設定手段と、前記第１の受光部の出力に応じて前記第１の光源の発光制御を行う制御手段と、を有し、前記制御手段は、前記第１の光源が発光しているときに、前記第１の受光部で受光した光量の積分値に対応する検出値が前記第１の光源の発光量に対応した制御値に達すると前記第１の光源の発光を停止させ、前記制御手段は、前記第１の光源を発光期間と前記第２の発光期間とが重複する場合、前記設定手段に設定された第１の光源の発光量と前記設定手段に設定された第２の発光量とに基づいて、前記設定された第１の発光量、前記検出値、前記制御値の少なくとも１つを補正することを特徴とする。
【０００７】
また、上記目的を達成するために、本発明にかかるカメラシステムは、照明装置と撮像装置を含むカメラシステムであって、第１の光源と、第２の光源と、第１の受光部と、前記第１の光源の発光量と前記第２の光源の発光量とを設定する設定手段と、前記第１の受光部の出力に応じて前記第１の光源の発光制御を行う制御手段と、を有し、
前記制御手段は、前記第１の光源が発光しているときに、前記第１の受光部で受光した光量の積分値に対応する検出値が前記第１の光源の発光量に対応した制御値に達すると前記第１の光源の発光を停止させ、前記制御手段は、前記第１の光源を発光期間と前記第２の発光期間とが重複する場合、前記設定手段に設定された第１の光源の発光量と前記設定手段に設定された第２の発光量とに基づいて、前記設定された第１の発光量、前記検出値、前記制御値の少なくとも１つを補正することを特徴とする。
【０００８】
また、上記目的を達成するために、本発明にかかる発光制御方法は、第１の光源と、第２の光源と、第１の受光部と、を有する照明装置の発光制御方法であって、前記第１の光源が発光しているときに、前記第１の受光部で受光した光量の積分値に対応する検出値が前記第１の光源の発光量に対応した制御値に達すると前記第１の光源の発光を停止させるステップと、前記第１の光源を発光期間と前記第２の発光期間とが重複する場合、設定された第１の光源の発光量と第２の発光量とに基づいて、前記設定された第１の発光量、前記検出値、前記制御値の少なくとも１つを補正するステップと、を有することを特徴とする。
【発明の効果】
【０００９】
本発明によれば、複数の発光部を目標とする発光量で発光できる。
【図面の簡単な説明】
【００１０】
【図１】第１の実施形態にかかる照明装置を装着したカメラシステムを示す図である。
【図２】第１の実施形態にかかるカメラシステムのブロック図である。
【図３】第１の実施形態にかかる発光制御処理のフローチャートを示す図である。
【図４】第１の実施形態にかかる発光量補正テーブルを示す図である。
【図５】発光部を１つだけ発光させるときの発光部の発光量と受光部の出力及びモニタ回路の検出値とを示す図である。
【図６】第２の実施形態にかかる発光制御処理のフローチャートを示す図である。
【図７】被写体距離と補正量との関係を示す図である。
【図８】第３の実施形態にかかる発光制御処理のフローチャートを示す図である。
【図９】第４の実施形態にかかる照明装置を装着したカメラシステムを示す図である。
【図１０】第４の実施形態にかかる照明装置のブロック図である。
【図１１】第４の実施形態にかかる発光制御処理のフローチャートを示す図である。
【図１２】第４の実施形態にかかる複数の発光部の相対的な位置関係と補正量との関係を示す図である。
【図１３】２つの発光部を発光させるときの発光部の発光量と受光部の出力及びモニタ回路の検出値とを示す図である。
【図１４】第６の実施形態にかかる発光制御処理のフローチャートを示す図である。
【発明を実施するための形態】
【００１１】
（第１の実施形態）
以下に、本発明にかかる第１の実施形態を、添付の図面に基づいて詳細に説明する。
【００１２】
図１は、照明装置の例であるマクロリングストロボ（以下、ストロボとも呼ぶ）３００を、撮像装置の例であるカメラ２００に装着させたカメラシステムの正面図を示している。
【００１３】
カメラ２００の上面には、各種アクセサリを着脱可能なアクセサリシューが設けられている。また、カメラ２００は正面にレンズ鏡筒２０２が設けられている。レンズ鏡筒２０２は、レンズ群で構成された撮影レンズを有していて、カメラ２００に対して着脱可能でもカメラ２００と一体であってもよい。
【００１４】
ストロボ３００は、制御ユニット３０１、発光ユニット３０２を有している。制御ユニット３０１は、発光ユニット３０２の発光を制御するための制御回路や発光ユニット３０２の発光の際の電源となるメインコンデンサ等を含む電源回路等を有している。また、制御ユニット３０１は、カメラ２００のアクセサリシュー２０１に取り付けられることで、カメラ２００と各種情報を通信できる。発光ユニット３０２は、不図示のロック機能によりレンズ鏡筒２０２の外周を囲むように取り付けられていて、発光部３０２Ａと発光部３０２Ｂの２つの発光部を有している。発光部３０２Ａと発光部３０２Ｂは、レンズ鏡筒２０２の外周を囲むように取り付けられた状態において、レンズ鏡筒２０２の撮影光軸を挟む位置に配置される。
【００１５】
また、発光ユニット３０２は、発光部３０２Ａ、３０２Ｂのそれぞれに対して、光源である閃光放電管、受光部、光学部材、発光回路等を有している。なお、光源は閃光放電管に限定されるものではなく、発光ダイオードなどその他の光源であってもよい。また、受光部は、閃光放電管からの光の一部が入射するように閃光放電管の近傍の位置に配置され、例えば、光学パネルやシートなど光を拡散させる拡散部材を介して閃光放電管からの光の一部を受光する。
【００１６】
コード３０３は、制御ユニット３０１と発光ユニット３０２との間に配置されたコードで、制御ユニット３０１の電源回路と発光ユニット３０２の発光回路とを電気的に接続する。
【００１７】
次に、前述したカメラシステムの回路構成について図２を用いて説明する。図２は、カメラシステムのブロック図である。
【００１８】
まず、カメラ２００側の構成について説明する。電池１はカメラ２００の電源となる電池である。電源回路２は、出力電圧を後述する各回路に供給する。ＤＣ／ＤＣコンバータ３は、電池１の電圧を昇圧して一定の出力電圧としてカメラマイコン８に供給する。
【００１９】
操作部４は、スイッチ検出回路５及びスイッチ群６で構成されている。スイッチ検出回路５は、スイッチ群６を構成する複数のスイッチのうち各スイッチにおけるオン／オフ状態を検出して、この検出信号をカメラマイコン８に出力する。ここで、スイッチ群６には、例えばレリーズボタンの半押しでオンするスイッチ（ＳＷ１）、レリーズボタンの全押しでオンするスイッチ（ＳＷ２）、露出を設定するためのスイッチ（絞り、シャッター速度設定ＳＷ）等が含まれる。なお、後述する表示部１１にタッチパネルが設けられている構成では、タッチパネルやタッチパネルの検出信号を出力する回路も操作部４に含まれる。
【００２０】
ＥＥＰＲＯＭ（電気的にデータを消去・書き換えすることができるＲＯＭ）７は、カメラマイコン８に接続されていて、カメラ動作に必要な設定情報が書き込まれる。
【００２１】
カメラマイコン８は、ＣＰＵ、ＲＯＭ、ＲＡＭ、入出力制御回路（Ｉ／ＯＣＯＮＴＲＯＬ）、マルチプレクサ、タイマ回路等を含むマイコン内蔵ワンチップＩＣ回路構成となっており、カメラシステムの制御をソフトウエアで行えるものである。ここで、カメラマイコン８にＥＥＰＲＯＭ７を内蔵させてもよい。
【００２２】
測距回路９は、被写体距離の測定を行う。被写体距離の測定方法は限定されず、例えば、カメラ２００側から光を投光して被写体からの反射光を受光することにより被写体距離情報を得るアクティブ方式を用いてもよい。また、画面に対応して設けられたラインセンサにおける像信号を読みとることにより、被写体像がどの位置で焦点を結んでいるかを既存の位相差検出方法で演算して検出するパッシブ方式を用いてもよい。
【００２３】
焦点距離検出回路１０は、撮影レンズの焦点距離情報をカメラマイコン８に送る。ここで、撮影レンズが単体レンズである場合には、固定の焦点距離を示すデータがカメラマイコン８に送られる。撮影レンズがズームレンズである場合には、ズームエンコーダー（不図示）により検出される撮影レンズのズーム停止位置に応じた焦点距離を示すデータがカメラマイコン８に送られる。
【００２４】
表示部１１は、液晶ディスプレイ（ＬＣＤ）１２及び液晶表示回路１３により構成されている。ＬＣＤ１２はカメラ撮影に関する情報を表示する。このＬＣＤ１２は、カメラ２００の外装面のうち、レンズ鏡筒２０２の位置する面とは反対の面に設けられている。なお、表示部１１は、ＬＣＤとは異なる表示素子を用いてもよく、有機ＥＬなどを用いてもよい。
【００２５】
測光回路１４は、被写体輝度を測定するための回路である。測光回路１４は、カメラマイコン８からの命令を受けて目標露出を決定するために必要なデータ（被写体輝度）をカメラマイコン８に送る。また、測光回路１４は、予備発光時の光量測定も行う。
【００２６】
調光回路１５は、予備発光時の光量測定の結果に基づいて目標とする本発光時の発光量を算出する。
【００２７】
Ｘ接点１６は、操作部４のＳＷ２がオンになったことに応じてオンとなり、発光部３０２を発光させるタイミングをストロボマイコン１０８に伝える。このＸ接点１６は、一端が接点群１７を介してストロボマイコン１０８のＳ４に接続されており、他端がＧＮＤレベルになっている。
【００２８】
接点群１７は、アクセサリシュー２０１に設けられていて、カメラマイコン８とストロボマイコン１０８とのインターフェースとなる。この接点群１７を介して、カメラマイコン８及びストロボマイコン１０８が相互に通信を行うことができる。
【００２９】
次にカメラマイコン８におけるインターフェース端子の説明を行う。ＳＣＫはストロボマイコン１０８とシリアル通信を行うための同期クロックの出力端子である。ＳＤＯはストロボマイコン１０８とシリアル通信を行うためのシリアルデータ出力端子である。ＳＤＩはストロボマイコン１０８とシリアル通信を行うためのシリアルデータ入力端子である。ＳＣＨＧは制御ユニット３０１における発光エネルギーを蓄積するメインコンデンサの充電完了を検出するための出力端子である。ここで、ＳＣＫは接点群１７を介してストロボマイコン１０８のＳ０端子に接続される。ＳＤＯは接点群１７を介してストロボマイコン１０８のＳ１端子に接続される。ＳＤＩは接点群１７を介してストロボマイコン１０８のＳ２端子に接続される。ＳＣＨＧは接点群１７を介してストロボマイコン１０８のＳ３端子に接続されている。
【００３０】
シャッタ１８は、撮像素子１９の前面に設けられていて、撮像素子１９を遮光状態にする位置と撮像素子１９を露光状態にする位置とに移動可能である。撮像素子１９は、ＣＣＤやＣＭＯＳなどの撮像素子であり、露光時に受光した光束に応じた画像信号を出力する。
【００３１】
次に、ストロボ３００側の回路構成について説明する。
【００３２】
電池１０１はストロボ３００の電源となる電池である。ストロボ電源回路１０２は、出力電圧を後述する各回路に供給する。また、ストロボ電源回路１０２は、電池１０１の電圧を昇圧し、設定された電圧になるまで主コンデンサ（不図示）に電荷を蓄積する。この出力を後述の第１発光回路１１３、第２発光回路１２０に供給する。ＤＣ／ＤＣコンバータ１０３は、電池１０１の電圧を昇圧して一定の出力電圧としてストロボマイコン１０８に供給する。
【００３３】
操作部１０４は、スイッチ検出回路１０５及びスイッチ群１０６で構成されている。スイッチ検出回路１０５は、スイッチ群１０６を構成する複数のスイッチのうち各スイッチにおけるオン／オフ状態を検出して、この検出信号をストロボマイコン１０８に出力する。ここで、スイッチ群１０６には、発光部３０２Ａ、３０２Ｂにおける発光量の設定を行うための発光量設定スイッチ、発光モード設定スイッチ、その他発光制御を行うためのスイッチがある。なお、後述する表示部１２３にタッチパネルが設けられている構成では、タッチパネルやタッチパネルの検出信号を出力する回路も操作部１０４に含まれる。
【００３４】
ＥＥＰＲＯＭ（電気的にデータを消去・書き換えすることができるＲＯＭ）１０７は、ストロボマイコン１０８に接続されていて、発光動作に必要な設定情報が書き込まれる。例えば、ＥＥＰＲＯＭ７に、発光部３０２Ａ、３０２Ｂにおける照射光の照射範囲データを記憶させておくことができる。
【００３５】
ストロボマイコン１０８は、ＣＰＵ、ＲＯＭ、ＲＡＭ、入出力制御回路（Ｉ／Ｏ  ＣＯＮＴＲＯＬ）、マルチプレクサ、タイマ回路等を含むマイコン内蔵ワンチップＩＣ回路構成となっている。ストロボマイコン１０８はストロボ及びカメラシステムの制御をソフトウエアで行えるものである。なお、ストロボマイコン１０８にＥＥＰＲＯＭ１０７を内蔵させてもよい。
【００３６】
第１発光回路１１３は、発光部３０２Ａを発光させるための回路であり、ストロボマイコン１０８からの命令を受けることによりストロボ電源回路１０２に蓄積された電荷を第１閃光放電管１１４内に放電させたり、この放電を遮断したりする。第１閃光放電管１１４は、発光部３０２Ａの光源であり、第１発光回路１１３により発光制御が行われる。
【００３７】
第１モニタ回路１１５は、第１閃光放電管１１４の発光量をモニタする回路で、予備発光や本発光における発光量をモニタする。具体的には、第１モニタ回路１１５に含まれるフォトダイオードなどの受光センサ（受光部）によって第１閃光放電管１１４が発する光束の一部を受光し、受光した光量の積分値に対応する検出値と目標とする発光量に対応する制御値とを比較する。第１発光回路１１３は、検出値が制御値に達したことを示す信号を第１モニタ回路１１５から受信すると第１閃光放電管１１４の放電を遮断する。
【００３８】
第２発光回路１２０は、発光部３０２Ｂを発光させるための回路であり、ストロボマイコン１０８からの命令を受けることによりストロボ電源回路１０２に蓄積された電荷を第２閃光放電管１２１内に放電させたり、この放電を遮断したりする。第２閃光放電管１２１は、発光部３０２Ｂの光源であり、第２発光回路１２０により発光制御が行われる。
【００３９】
第２モニタ回路１２２は、第２閃光放電管１２１の光量をモニタする回路で、予備発光や本発光における発光量をモニタする。第２モニタ回路１２２を用いた発光制御は第１モニタ回路１１５を用いた発光制御と同様なので説明は省略する。
【００４０】
本実施形態では、第１発光回路１１３と第２発光回路１２０、第１閃光放電管１１４と第２閃光放電管１２１、第１モニタ回路１１５と第２モニタ回路１２２、はそれぞれ同様の構成であるものとする。
【００４１】
表示部１２３は、液晶ディスプレイ（ＬＣＤ）１２４及び液晶表示回路１２５により構成されている。ＬＣＤ１２４はストロボ撮影に関する情報を表示する。なお、表示部１２３は、ＬＣＤとは異なる表示素子を用いてもよく、有機ＥＬなどを用いてもよい。
【００４２】
次に、図３に示すフローチャートを参照して、本実施形態におけるカメラシステムの発光制御処理について説明する。図３に示すフローチャートは、カメラ２００及びストロボ３００の電源がオンの状態において開始される。なお、以下では、ストロボ３００の発光量が発光量設定スイッチにより手動で設定された場合を説明する。
【００４３】
ステップＳ１０１では、スイッチ検出回路５においてスイッチ群６の各スイッチにおけるオン／オフ状態が検出されて、この検出信号がカメラマイコン８に出力される。例えば、スイッチ検出回路５は、レリーズＳＷ（ＳＷ１及びＳＷ２）などを検出する。
【００４４】
ステップＳ１０２では、ＳＷ１がオンの状態になっているか否かの判別をカメラマイコン８が行い、ＳＷ１がオンの状態にあるときにはステップＳ１０３に進み、ＳＷ１がオフの状態にあるときにはステップＳ１０１に戻る。
【００４５】
そして、測距回路９による被写体距離の測定が完了すると被写体距離情報を示す信号がカメラマイコン８に出力される。
【００４６】
ステップＳ１０３では、カメラマイコン８及びストロボマイコン１０８が接点群１７を介して相互に通信を行う。このときカメラマイコン８は制御ユニット３０１の装着の有無やカメラ２００に装着される照明装置の種類判別データを読みとる。ステップＳ１０４では、カメラ２００に装着されている照明装置の種類が複数の発光部を備えたマクロリングストロボか一般的なストロボをカメラマイコン８が判別する。マクロリングストロボがカメラ本体に装着されている場合はステップＳ１０５に進み、一般的なストロボが装着されている場合はＳ１０７に進む。
【００４７】
ステップＳ１０５では、ストロボマイコン１０８において、操作部１０４の発光量設定スイッチを操作することにより設定された発光部３０２Ａ、３０２Ｂにおける発光量の確認を行う。
【００４８】
ステップＳ１０６では、ステップＳ１０５で確認した発光量に基づき、ストロボマイコン１０８が各発光部の補正量を決定する。本実施形態では、ＥＥＰＲＯＭ１０７に予め記憶されている図４に示す発光量補正テーブルを用いて補正量を決定するものとする。
【００４９】
図４は、２つの発光部の発光量と補正量との関係を表す発光量補正テーブルを示している。そして、横軸が補正対象となる発光部（自灯）の発光指示値、縦軸が補正対象とは異なる発光部（他灯）の発光指示値、ブロック内の値が補正対象となる発光部（自灯）の補正量を示している。図４の発光指示値は発光量設定スイッチにより設定される値であって、発光部の最大発光量に対する相対比を表している。すなわち、発光指示値が１／１であれば発光部の最大発光量に相当し、発光指示値が小さいほど発光量は小さくなる。補正量の値は、第１モニタ回路１１５、第２モニタ回路１２２において検出値と比較する制御値を補正する度合いを表すものであって、値が大きいほど補正の度合いが大きい。すなわち、補正量の値が大きいほど制御値の値が大きくなるように補正され、検出値が制御値に達するまでに必要となる発光量は補正前よりも大きくなるため、他灯からの光の影響による発光量低下を補うことができる。各補正量において制御値をどの程度補正するかについては、予め実験データなどから決定しておけばよい。
【００５０】
なお、図４に示した値は一例であって、図４に示したように、自灯の発光量が大きく多灯の発光量が大きいほど自灯の発光量が増えるように補正するのであればどのような値であっても構わない。ここで、他灯の発光量が大きくても自灯の発光量が小さい場合には補正量を小さくする理由を図５を用いて説明する。
【００５１】
図５（ａ）は、発光部を１つだけ発光させるときの発光部の発光量と受光部の出力との関係を示す図であり、図５（ｂ）は、発光部を１つだけ発光させるときの発光部の発光量と受光部で受光した光量の積分値に対応する検出値との関係を示す図である。なお、発光部３０２Ａと発光部３０２Ｂは同じ発光特性の光源を用いるため、いずれの発光部も図５に示す特性となるので、以下では発光部、モニタ回路、閃光放電管をどちらか限定せずに説明する。
【００５２】
図５（ａ）には、発光部を発光させたときの受光部の出力の時間変化を示しているが、受光部の出力は発光部の発光強度に対応するため、図５（ａ）は発光部の発光波形を示しているといえる。図５（ａ）に示すように、発光部の発光強度は、発光開始してから時間の経過とともに増加してピークをむかえたのちに減少していく。そして、図５（ｂ）に示すように、発光部の最大発光量に対応する制御値をαとすると、目標とする発光量が最大発光量の１／２の場合、モニタ回路の検出値がα／２に達したら閃光放電管の放電を遮断する。目標とする発光量が最大発光量の１／４、１／８の場合も同様に、モニタ回路の検出値がそれぞれα／４、α／８に達したら閃光放電管の放電を遮断する。以上のように、発光部の発光波形は、閃光放電管の放電を遮断するまでは目標とする発光量によらず同じような波形となる。
【００５３】
そのため、自灯の発光量が小さければ、他灯の発光量が大きくても、自灯が発光停止してからも他灯が発光し続けるだけであって、検出値が制御値に達するまでに受ける他灯からの光の影響は小さい。このような理由から、本実施形態では、他灯の発光量が大きくても自灯の発光量が小さい場合には補正量を小さくする。
【００５４】
補正量の決定においては、例えば、ステップＳ１０５で確認した発光部３０２Ａの発光量が１／１、発光部３０２Ｂの発光量が１／２であった場合、発光部３０２Ａに対しては、自灯発光量が１／１で他灯発光量が１／２となり補正量は１となる。同様に、発光部３０２Ｂに対しては、自灯発光量が１／２で他灯発光量が１／１となり補正量は１となる。
【００５５】
ステップＳ１０７では、一般的なストロボに対して操作部などを操作することにより設定された発光量の確認を行う。
【００５６】
ステップＳ１０８では、ＳＷ２がオンの状態になっているか否かの判別をカメラマイコン８が行う。ＳＷ２がオンの状態になっているときにはステップＳ１０９に進み、ＳＷ２がオフの状態になっているときにはステップＳ１０１へ戻る。
【００５７】
ステップＳ１０９では、カメラ２００の撮像素子１９の露光に同期させて発光部３０２Ａ、３０２Ｂを発光させる。発光部３０２Ａ、３０２Ｂにおいて発光が開始され、第１モニタ回路１１５、第２モニタ回路１２２において、検出値がステップＳ１０８で決定した補正量を加味した制御値に達したら第１発光回路１１３、第２発光回路１２０は各発光部の発光を停止させる。
【００５８】
以上のように、複数の発光部の発光期間を重複させて発光させる場合に、自灯と他灯の発光量に応じて発光制御の制御値を補正することで、それぞれの発光部を目標とする発光量で発光できる。
【００５９】
なお、上記の実施形態では、他灯からの光の影響による発光量低下を補う方法として、目標とする発光量に対応する制御値を大きくする補正を行う方法を説明したが、制御値以外を補正して他灯からの光の影響による発光量低下を補ってもよい。例えば、受光した光量の積分値に対応する検出値を小さくする補正を行うようにしてもよいし、発光指示値を大きくする補正を行うようにしてもよい。あるいは、制御値、検出値、発光指示値を組み合わせて補正してもよい。すなわち、制御値、検出値、発光指示値の少なくとも１つを補正すればよい。
【００６０】
また、上記の実施形態では、ストロボ３００の発光量が発光量設定スイッチにより手動で設定された場合を説明したが、調光回路１５により予備発光の時の光量測定の結果に基づいて目標とする本発光時の発光量を算出する場合も同様に補正すればよい。その場合、図３のステップＳ１０７とステップＳ１０８を省略し、ステップＳ１０９とＳ１１０の間に、予備発光を行い予備発光時の光量測定を行うステップ、光量測定の結果に基づいて本発光時の発光量を算出するステップ、補正量決定ステップを加えればよい。補正量決定ステップでは、図４と同様の発光量補正テーブルを用いればよい。また、操作部１０４により発光部３０２Ａと発光部３０２Ｂの光量比を設定して、設定された光量比と予備発光の時の光量測定の結果とに基づいて、発光部３０２Ａと発光部３０２Ｂのそれぞれの本発光時の発光量を算出する場合も同様に補正すればよい。このように、本発明においては、本発光時の発光量の決定方法は限定されず、上記以外の決定方法にも適用できる。
【００６１】
（第２の実施形態）
第１の実施形態では、発光部３０２Ａと発光部３０２Ｂの発光量に応じて補正量が変化する補正テーブルによって補正量を決定していた。本実施形態では、被写体の距離により入射してくる反射光量が変わることを考慮して、被写体距離を加味して補正量を決定するようにした。なお、本実施形態は第１の実施形態とカメラシステムの構成は同様であるため、発光制御処理の違いについて図６を用いて説明する。図６に示すフローチャートにおいて図３に示すフローチャートと同様の処理を行うステップは同じ符号で表し詳細な説明は省略する。ステップＳ１０２にてＳＷ１がオンの状態にあると判別されると、ステップＳ２０１へ進み、ステップＳ２０１では、測距回路９がカメラマイコン８からの命令を受けて被写体距離の測定を行う。そして、被写体距離の測定が完了すると測定結果である被写体距離情報を示す信号がカメラマイコン８に出力される。
【００６２】
続くステップＳ２０２では、カメラマイコン８及びストロボマイコン１０８が接点群１７を介して相互に通信を行う。このときカメラマイコン８は制御ユニット３０１の装着の有無やカメラ２００に装着される照明装置の種類判別データを読みとる。一方、ストロボマイコン１０８は被写体距離情報をカメラマイコン８より受け取る。
【００６３】
ステップＳ１０４にて、カメラ２００に装着されている照明装置の種類が複数の発光部を備えたマクロリングストロボであると判別された場合、ステップＳ１０５、ステップＳ２０３に進む。
【００６４】
そして、ステップＳ２０３では、ステップＳ２０２でカメラマイコン８より受け取った被写体距離情報とＳ１０５で確認した発光量に基づき、各発光部の補正量を決定する。本実施形態では、図４に示す補正テーブルに加え、図７に示す補正値表を用いて補正量を決定する。図７は、被写体距離と補正量との関係を示す図であり、ＥＥＰＲＯＭ１０７に記憶されている。
【００６５】
図７に示すように、被写体距離が５０ｃｍ以上であれば他灯からの光のうち被写体に反射した反射光の影響が少ないため発光量を補うための補正はせず、図４に示す補正テーブルは使用しない。被写体距離が２５ｃｍ以上５０ｃｍ未満の場合は、図４の補正テーブルを使用する。被写体距離が２５ｃｍ未満の場合は他灯からの光のうち被写体に反射した反射光の影響が強くなるため、図４の補正テーブルの補正量に＋１をした値を補正量として使用する。具体的には、被写体距離情報が表す被写体距離が２５ｃｍ未満であり、ステップＳ１０５で確認した発光部３０２Ａの発光量が１／１、発光部３０２Ｂの発光量が１／２であった場合には、発光部３０２Ａの補正量は１＋１の２となる。同様に発光部３０２Ｂの補正量は１＋１の２となる。
【００６６】
以上のように、本実施形態では、複数の発光部の発光期間を重複させて発光させる場合に、自灯と他灯の発光量に加えて被写体距離に応じて発光制御の制御値を補正することで、より正確にそれぞれの発光部を目標とする発光量で発光できる。
【００６７】
なお、本実施形態でも第１の実施形態と同様に、他灯からの光の影響による発光量低下を補う方法は、目標とする発光量に対応する制御値を大きくする補正を行う方法に限定されない。被写体距離が小さい（近い）ほど他灯からの光の影響による発光量低下が大きいものとして発光量低下を補う補正を行えばよい。
【００６８】
また、本発光時の発光量の決定方法も第１の実施形態と同様に限定されない。
【００６９】
（第３の実施形態）
第１、第２の実施形態では、被写体の反射率が所定の反射率である場合に他灯からの光の影響をどの程度受けるかを考慮して作成した補正テーブルを用いて補正を行った。本実施形態では、他灯からの光の影響は被写体の反射率によって変化することを考慮して、被写体の反射率を加味して補正量を決定するようにした。なお、本実施形態は第１、第２の実施形態とカメラシステムの構成は同様であるため、発光制御処理の違いについて図８を用いて説明する。図８に示すフローチャートにおいて図３に示すフローチャートと同様の処理を行うステップは同じ符号で表し詳細な説明は省略する。
【００７０】
ステップＳ１０５ののち、ステップＳ３０１では、第１発光回路１１３により発光部３０２Ａのみを１／２の発光量にて発光させる。ステップＳ３０２では、第２モニタ回路１２２で発光部３０２Ａからの光による影響を確認する。ここで、発光部３０２Ａのみを１／２の発光量にて発光させたとき基準となる反射率での第２モニタ回路１２２の検出値がＮ（＝自然数）で、受光量が２倍になると第２モニタ回路１２２の検出値は８カウント増加するとする。第２モニタ回路１２２の検出値がＮ＋２であった場合、反射率が基準反射率のときよりも受光量は２の（２／８）乗、つまり２の（１／４）乗≒１．１９倍である。同様に、ステップＳ３０３、Ｓ３０４では発光部３０２Ｂのみを発光させて第１モニタ回路１１５の検出値を確認する。
【００７１】
ステップＳ３０５では、ステップＳ３０２、Ｓ３０４で確認した検出値と図４の補正テーブルから補正量を決定する。具体的には、ステップＳ３０２、Ｓ３０４で確認した反射光出力からＮを引いた値を８で除した数をαとすると、２のα乗を図４の補正テーブルに基づいて決定された補正量に乗算する。前述の例では、発光部３０２Ａと発光部３０２Ｂの発光指示値から決定された発光部３０２Ｂの補正量を、２の（１／４）乗≒１．１９倍する。
【００７２】
以上のように、本実施形態では、複数の発光部の発光期間を重複させて発光させる場合に、自灯と他灯の発光量に加えて被写体の反射率に応じて発光制御の制御値を補正することで、より正確にそれぞれの発光部を目標とする発光量で発光できる。
【００７３】
なお、本実施形態では、反射率測定時の発光量を１／２としているが、反射率測定時の発光量は限定されない。ただし、反射率測定時の発光量を小さくすることで電池１０１の消耗を抑えることができる。
【００７４】
また、本実施形態では、第２の実施形態にも適用でき、被写体距離と被写体の反射率の両方に応じて発光制御の制御値を補正してもよい。
【００７５】
また、本実施形態でも第１、第２の実施形態と同様に、他灯からの光の影響による発光量低下を補う方法は、目標とする発光量に対応する制御値を大きくする補正を行う方法に限定されない。被写体の反射率が大きいほど他灯からの光の影響による発光量低下が大きいものとして発光量低下を補う補正を行えばよい。
【００７６】
また、本発光時の発光量の決定方法も第１、第２の実施形態と同様に限定されない。
【００７７】
（第４の実施形態）
第１〜第３の実施形態では、マクロリングストロボを用いた場合に他灯からの光の影響による発光量低下を補う方法を説明した。しかしながら、複数の発光部の発光期間を重複させて発光させる照明装置はマクロリングストロボに限定されない。本実施形態では、複数の発光部の発光期間を重複させて発光させる照明装置としてマクロツインストロボを用いた場合に他灯からの光の影響による発光量低下を補う方法を説明する。一般的に、マクロツインストロボは２つの発光部を有していて、それぞれをレンズ鏡筒２０２の外周を囲むように取り付けることができる。ここで、マクロツインストロボは、マクロリングストロボとは異なりそれぞれの発光部の取り付け位置を自由に変更でき、取り付け角度も自由に変更できるが、それぞれの取り付け位置や取り付け角度によって他灯からの光の影響は変化する。そこで、本実施形態では、他灯からの光の影響はそれぞれの取り付け位置や取り付け角度によって変化することを考慮して、それぞれの取り付け位置や取り付け角度を加味して補正量を決定するようにした。
【００７８】
図９は、照明装置であるマクロツインストロボ（以下、ツインストロボとも呼ぶ）４００を、撮像装置であるカメラ２００に装着させたカメラシステムの正面図を示している。カメラ２００は第１の実施形態と同様であるため説明は省略する。
【００７９】
ツインストロボ４００は、制御ユニット４０１、発光ユニット４０２を含んでいる。制御ユニット４０１は、発光ユニット４０２との間に配置されるコードが複数である以外は第１の実施形態の制御ユニット３０１と同様であるため説明は省略する。
【００８０】
発光ユニット４０２は、発光部４０３Ａ、４０３Ｂのそれぞれに対して、光源である閃光放電管、受光部、光学部材、発光回路等を有している。
【００８１】
さらに、発光ユニット４０２は、レンズ鏡筒２０２の外周を囲むように取り付けられた状態において、レンズ鏡筒２０２の撮影光軸に直交する軸を回転軸として発光部４０３Ａ、４０３Ｂのそれぞれを回動させるための第１回動部４０４Ａ、４０４Ｂを有している。第１回動部４０４Ａ、４０４Ｂは、発光部４０３Ａ、４０３Ｂの回動量（回動角度）を検出するエンコーダーやセンサ等の検出部を有している。以下では、レンズ鏡筒２０２の外周を囲むように取り付けられた状態において、レンズ鏡筒２０２の撮影光軸に直交しレンズ鏡筒２０２の外周の接線に平行な軸を回転軸とした、発光部４０３Ａ、４０３Ｂの照射方向が撮影光軸回動方向を左右方向とする。発光部４０３Ａ、４０３Ｂはそれぞれ、例えば、照射面がレンズ鏡筒２０２に近づく側に６０°、レンズ鏡筒２０２から離れる側に３０°回動可能である。さらに、発光ユニット４０２は、レンズ鏡筒２０２の外周を囲むように取り付けられた状態において、発光部４０３Ａ、４０３Ｂのそれぞれをレンズ鏡筒２０２の外周に沿って回動させるための第２回動部４０５Ａ、４０５Ｂを有している。第１回動部４０５Ａ、４０５Ｂは、発光部４０３Ａ、４０３Ｂの周方向の位置を検出するエンコーダーやセンサ等の検出部を有している。以下では、レンズ鏡筒２０２の外周を囲むように取り付けられた状態において、発光部４０３Ａ、４０３Ｂのレンズ鏡筒２０２の外周に沿った回動方向を周方向とする。
【００８２】
コード４０６Ａ、４０６Ｂは、制御ユニット４０１と発光部４０３Ａ、４０３Ｂとの間に配置されたコードで、制御ユニット４０１の電源回路と発光部４０３Ａ、４０３Ｂの発光回路とを電気的に接続する。
【００８３】
次に、前述したツインストロボ４００の回路構成について図１０を用いて説明する。なお、図１０において、図３と同様の部分については同じ符号にして説明は省略する。
【００８４】
第１左右角検出回路１１０は、発光部４０３Ａの左右方向の回動量（回動角度）を検出する回路であり、左右方向の回動量（回動角度）を示す情報（左右位置情報）をストロボマイコン１０８に送る。
【００８５】
第１円周角検出回路１１２は、発光部４０３Ａの周方向の位置を検出する回路であり、周方向の位置を示す情報（周方向位置情報）をストロボマイコン１０８に送る。
【００８６】
第２左右角検出回路１１７は、発光部４０３Ｂの左右方向の回動量（回動角度）を検出する回路であり、左右方向の回動量（回動角度）を示す情報（左右位置情報）をストロボマイコン１０８に送る。
【００８７】
第２円周角検出回路１１９は、発光部４０３Ｂの周方向の位置を検出する回路であり、周方向の位置を示す情報（周方向位置情報）をストロボマイコン１０８に送る。ストロボマイコン１０８は、発光部４０２Ａ、４０２Ｂの左右位置情報、及び周方向位置情報に基づいて、発光部４０２Ａ、４０２Ｂを同期させて（発光期間を重複させて）発光させる際の各発光部に対する補正量を決定する。
【００８８】
次に、図１１に示すフローチャートを参照して、本実施形態におけるカメラシステムの発光制御処理について説明する。図３に示すフローチャートは、カメラ２００及びツインストロボ４００の電源がオンの状態において開始される。なお、以下では、ツインストロボ４００の発光量が発光量設定スイッチにより手動で設定された場合を説明する。図１１に示すフローチャートにおいて図３に示すフローチャートと同様の処理を行うステップは同じ符号で表し詳細な説明は省略する。
【００８９】
ステップＳ１０３にて、カメラ２００に装着される照明装置の種類判別データを読みとり、ステップＳ４０１では、カメラ２００に装着されている照明装置の種類が複数の発光部を備えたマクロツインストロボか一般的なストロボをカメラマイコン８が判別する。マクロツインストロボがカメラ本体に装着されている場合はステップＳ１０５に進み、一般的なストロボが装着されている場合はＳ１０７に進む。
【００９０】
ステップＳ１０５ののち、ステップＳ４０２では、ストロボマイコン１０８は、使用者によりセットされた発光部４０２Ａの位置情報（左右位置情報、周方向位置情報）を取得する。
【００９１】
具体的には、第１左右角検出回路１１０で発光部４０２Ａの左右方向における回動量（回動角度）を検出して、この検出結果（左右位置情報）をストロボマイコン１０８に送る。さらに、第１円周角検出回路１１２で発光部４０３Ａの周方向の位置を検出して、この検出結果（周方向位置情報）をストロボマイコン１０８に送る。
【００９２】
ステップＳ４０３では、ストロボマイコン１０８は、使用者によりセットされた発光部４０２Ｂの位置情報（左右位置情報、周方向位置情報）を取得する。位置情報の取得方法はステップＳ４０２と同様であるので説明は省略する。以上のステップＳ４０２、Ｓ４０３は、発光部４０３Ａ、４０３Ｂの相対位置検出ステップと相対角度検出ステップに相当する。
【００９３】
ステップＳ４０４では、ストロボマイコン１０８は、ステップＳ１０５で確認したそれぞれの発光量とステップＳ４０２、４０３で取得したそれぞれの位置情報に基づいて補正量を決定する。補正量の決定は、図４の補正テーブルに対し、図１２に示す変更を加え決定する。図１２は発光部４０３Ａ、発光部４０３Ｂの相対的な位置関係と補正量との関係を示す図である。図１２（ａ）は、周方向の相対的な位置関係と補正量との関係を示し、図１２（ｂ）は、左右方向の相対的な位置関係と補正量との関係を示している。
【００９４】
周方向において、発光部４０３Ａ、４０３Ｂの距離が近いほど他灯からの光による影響は大きくなる。また、左右方向において、発光部４０３Ａ、４０３Ｂがレンズ鏡筒２０２側に傾くほど他灯からの光による影響は大きくなる。
【００９５】
そこで、図１２（ａ）に示すように、周方向における発光部４０３Ａ、４０３Ｂの距離を、周方向に回動するときの回動中心と発光部４０３Ａ、４０３Ｂとをそれぞれ結ぶ線分で形成される角度で表し、この角度と補正量とを対応付けている。回動中心と発光部４０３Ａ、４０３Ｂとをそれぞれ結ぶ線分で形成される角度は最大で１８０°であり、角度が小さいほど発光部４０３Ａ、４０３Ｂの距離が近いので、図１２（ａ）に示すように、角度は小さいほど補正量を大きくしている。
【００９６】
また、図１２（ｂ）に示すように、発光部４０３Ａ、４０３Ｂがレンズ鏡筒２０２側に傾く角度の合計と補正量とを対応付けしている。発光部４０３Ａ、４０３Ｂは照射面がレンズ鏡筒２０２に近づく側と離れる側にそれぞれ回動可能であるため、レンズ鏡筒２０２側に近づく側に傾く角度を正の値、離れる側に傾く角度を負の値にしている。図１２（ｂ）に示すように、角度の合計が大きいほど他灯からの光を受光部で受光しやすい角度となるため補正量を大きくしている。
【００９７】
なお、図１２に示した値は一例であって、補正量を切替える位置関係や角度関係は図１２に示した値に限定されない。また、補正量の切替える段数は位置関係に応じて３段階、角度関係に応じて４段階であるが、切り替える段数も図１２に示した段数に限定されない。
【００９８】
以上のように、本実施形態では、発光期間を重複させて発光させる場合に、自灯と他灯の発光量に加えて複数の発光部の相対位置や相対角度に応じて発光制御の制御値を補正することで、より正確にそれぞれの発光部を目標とする発光量で発光できる。
【００９９】
なお、本実施形態と第２の実施形態とを組み合わせて、被写体距離と複数の発光部の相対位置や相対角度に応じて発光制御の制御値を補正するようにしてもよい。
【０１００】
また、本実施形態と第３の実施形態とを組み合わせて、被写体の反射率と複数の発光部の相対位置や相対角度に応じて発光制御の制御値を補正するようにしてもよい。
【０１０１】
また、本実施形態では、複数の発光部の相対位置と相対角度の両方を変更可能な例を説明したが、複数の発光部の相対位置と相対角度のいずれか一方のみ変更可能なマクロツインストロボであってもよい。
【０１０２】
また、本実施形態と第１〜第３の実施形態とを組み合わせて、マクロリングストロボとマクロツインストロボのどちらが装着されているかを判別して、装着されているストロボに合わせて補正を行うようにしてもよい。
【０１０３】
また、本発光時の発光量の決定方法も第１〜３の実施形態と同様に限定されない。
【０１０４】
（第５の実施形態）
これまで説明した実施形態は、予め補正量をストロボ側のＥＥＰＲＯＭ１０７に記憶させておくものであった。このような構成の場合、より正確に補正を行うため補正テーブルの区分を多くして発光量の組み合わせに応じて細かく補正量を対応付けするとＥＥＰＲＯＭ１０７の使用容量が多くなってしまう。一方、補正テーブルの区分が充分でないと、補正テーブルの区分の境界近傍となる発光量の組み合わせでは過補正、補正不足が発生することが考えられる。
【０１０５】
そこで、本実施形態では、ストロボマイコン１０８が発光量から補正量を算出して発光量の補正を行う。本実施形態では、第１の実施形態と補正量の決定方法のみが異なるため同様の部分の説明は省略する。
【０１０６】
図１３（ａ）は、２つの発光部を発光させるときの発光部の発光量と受光部の出力との関係を示す図であり、図１３（ｂ）は、２つの発光部を発光させるときの発光部の発光量と受光部で受光した光量の積分値に対応する検出値との関係を示す図である。
【０１０７】
図１３における受光部及びモニタ回路検出値は、それぞれ発光部３０２Ａのものを示している。また、図１３において、点線は発光部３０２Ａからの光に対する出力及び検出値、一点鎖線は発光部３０２Ｂからの光に対する出力及び検出値、実線は発光部３０２Ａからの光と発光部３０２Ｂからの光を合わせた出力及び検出値を示している。
【０１０８】
図１３（ａ）に示すように、発光部３０２Ａからの光に対する出力と発光部３０２Ｂからの光に対する出力とは比例関係にある。そのため、発光部３０２Ａからの光に対する検出値が最大（１／１）のときに比較して、発光部３０２Ａからの光に対する検出値が１／２のときには発光部３０２Ｂからの光に対する検出値も最大値の１／２となる。
【０１０９】
したがって、発光部３０２Ａ、３０２Ｂをともに最大発光量で発光させるときの補正量を予めＥＥＰＲＯＭ１０７に記憶しておけば、発光部３０２Ａと発光部３０２Ｂの発光量の関係から必要な補正量を演算できる。
【０１１０】
図１３（ｂ）に示すように、発光部３０２Ａを自灯とする場合に発光部３０２Ａを最大発光量で発光させようとすると、単独で発光部３０２Ａを最大発光量で発光させるための制御値であるαに補正を行う必要がある。このときの補正量をΔαとすると、制御値をα１＝α＋Δαとすることで、発光部３０２Ｂからの光の影響を加味して発光部３０２Ａを最大発光量で発光させることができる。このΔαは工場出荷前に予め算出してＥＥＰＲＯＭ１０７に記憶しておく。
【０１１１】
そして、発光部３０２Ａ、３０２Ｂをともに最大発光量で発光させる場合以外は、発光部３０２Ａ、３０２Ｂそれぞれの発光量に基づいて補正量を演算する。
【０１１２】
前述したように、発光部３０２Ａが自灯の場合、発光部３０２Ａよりも発光部３０２Ｂの発光時間が長ければ発光部３０２Ｂの発光時間がどれだけ長くても影響は変わらない。すなわち、発光部３０２Ａよりも発光部３０２Ｂの発光時間が長ければ、発光部３０２Ｂからの光による影響は、発光部３０２Ａの発光時間に依存する。一方、発光部３０２Ａよりも発光部３０２Ｂの発光時間が短ければ、モニタ回路１１５の検出値が制御値に達する前に発光部３０２Ｂの発光が停止するため、発光部３０２Ｂからの光による影響は、発光部３０２Ａの発光時間に依存する。
【０１１３】
したがって、発光部３０２Ａと発光部３０２Ｂの大小を比較し、小さい方の発光量の最大発光量に対する比率をΔαに乗算することで、必要とする補正量を取得することができる。
【０１１４】
以上のように、本実施形態では、基準となる補正量のみ予め記憶しておき、基準となる補正量に対応する発光条件と実際の発光条件との違いに応じて、実際の発光条件に対応する補正量を演算することによりＥＥＰＲＯＭ１０７の使用容量を抑えることができる。
【０１１５】
なお、本発光時の発光量の決定方法も上記の実施形態と同様に限定されない。
【０１１６】
（第６の実施形態）
これまで説明した実施形態は、少なくとも１つの補正量を予め記憶しておくものであった。本実施形態では、予め補正量を記憶しておくことなく、実際に他灯からの光による影響を測定して補正量を演算する。本実施形態は第１〜３の実施形態とカメラシステムの構成は同様であるため、発光制御処理の違いについて図１４を用いて説明する。図１４に示すフローチャートにおいて図８に示すフローチャートと同様の処理を行うステップは同じ符号で表し詳細な説明は省略する。
【０１１７】
ステップＳ１０５ののち、ステップＳ５０１では、ストロボマイコン１０８は複数の発光部を発光させるか否かを判別する。ステップＳ１０５の確認結果から複数の発光部を発光させると判別した場合はステップＳ５０２に進み、１つの発光部のみを発光させると判別した場合はステップＳ１０８に進む。ここで、１つの発光部のみを発光させると判別した場合にステップＳ５０２に進まないのは、１つの発光部のみを発光させる場合には他灯からの光の影響を考慮する必要がないからである。後述するように、ステップＳ５０２以降のステップでは補正量を決定するために実際に発光部を発光させるが、他灯からの光の影響を考慮する必要がないにもかかわらず発光部を発光させると無駄な発光を行うことになるため、ステップＳ１０８に進むようにする。
【０１１８】
ステップＳ５０２では、第１発光回路１１３により発光部３０２ＡのみをステップＳ１０５で確認した発光量のうち小さい方の発光量と等しい発光量にて発光させる。ステップＳ５０３では、第２モニタ回路１２２で発光部３０２Ａからの光による影響を確認する。
【０１１９】
同様に、ステップＳ５０４、Ｓ５０５では、発光部３０２ＢのみをステップＳ１０５で確認した発光量のうち小さい方の発光量と等しい発光量にて発光させて第１モニタ回路１１５の検出値を確認する。ここで、ステップＳ５０２、Ｓ５０４にてステップＳ１０５で確認した発光量のうち小さい方の発光量でそれぞれの発光部を発光させるのは、第５の実施形態で説明した理由からである。すなわち、他灯からの光による影響は、自灯及び他灯の発光量の小さい方の発光部の発光時間に依存するからである。
【０１２０】
ステップＳ５０６では、ステップＳ５０３、Ｓ５０５で確認した他灯による検出値の増加分をそれぞれの補正量として決定する。
【０１２１】
以上のように、本実施形態では、実際に他灯を発光させて検出値の増加分を測定し、検出値の増加分を補正量として自灯の発光制御の制御値を補正することで、より正確にそれぞれの発光部を目標とする発光量で発光できる。
【０１２２】
なお、本実施形態では、本実施形態は、実際に他灯を発光させて検出値の増加分を測定し、検出値の増加分を補正量として自灯の発光制御の制御値を補正するため、複数の発光部の位置関係や角度関係よらず正確に補正量を求めることができる。そのため、第４の実施形態のカメラシステムと同様の構成に本発明を適用してもよい。あるいは、２つ照明装置を含む照明システムにおいて、本実施形態と同様に実際に一方を発光させて検出値の増加分を測定し、検出値の増加分を補正量として他方の発光制御の制御値を補正するようにしてもよい。
【０１２３】
また、本発光時の発光量の決定方法も上記の実施形態と同様に限定されない。
【０１２４】
以上、本発明の好ましい実施形態について説明したが、本発明はこれらの実施形態に限定されず、その要旨の範囲内で種々の変形及び変更が可能である。
【０１２５】
例えば、上記の実施形態では、ストロボマイコン１０８で補正量を決定する例を説明したが、補正量の決定に必要な情報をカメラマイコン８が取得して、カメラマイコンで補正量を決定してもよい。
【０１２６】
また、上記の実施形態では発光部が２つある構成について説明したが、発光部の数は３つ以上でも構わない。第１〜第４の実施形態を変形させて、３つ以上の発光部の発光量と補正量とを対応させた補正テーブルを記憶させておけばよいし、第５の実施形態を変形させて、２つの他灯それぞれに対する基準となる補正量を記憶させておけばよい。あるいは、第６の実施形態を変形させて、実際に２つの他灯を順に発光させて検出値の増加分をそれぞれ測定し、検出値の増加分の合計を補正量として自灯の発光制御の制御値を補正すればよい。
【０１２７】
また、複数の発光部を有していても、受光部の出力に応じて発光制御を行う発光部に対して補正を行えばよく、例えば、発光時間が所定の時間に達したら発光を停止させるような発光制御を行う発光部に対して上記の補正を行う必要はない。
【符号の説明】
【０１２８】
１０７  ＥＥＰＲＯＭ
１０８  ストロボマイコン
１１０  第１左右角検出回路
１１２  第１円周角検出回路
１１３  第１発光回路
１１４  第１閃光放電管
１１５  第１モニタ回路
１１７  第２左右角検出回路
１１９  第２円周角検出回路
１２０  第２発光回路
１２１  第２閃光放電管
１２２  第２モニタ回路
【図１】
2015146006.tif 000003
【図２】
2015146006.tif 000004
【図３】
2015146006.tif 000005
【図４】
2015146006.tif 000006
【図５】
2015146006.tif 000007
【図６】
2015146006.tif 000008
【図７】
2015146006.tif 000009
【図８】
2015146006.tif 000010
【図９】
2015146006.tif 000011
【図１０】
2015146006.tif 000012
【図１１】
2015146006.tif 000013
【図１２】
2015146006.tif 000014
【図１３】
2015146006.tif 000015
【図１４】
2015146006.tif 000016